(57)【特許請求の範囲】
【請求項１】
水平板と垂直板とからなる山形鋼により組み上げた鉄骨構造物に足場を設けるための足場金具であって、
足踏み部が取付けられると共に、長手方向の両側にそれぞれ本体用主ボルト孔が設けられた足場本体と、
先端部側には山形鋼の垂直板の長辺端部に掛止する垂直板掛止用フック部を有すると共に、基端部側には垂直板の短辺長が異なる複数の山形鋼の各短辺長に対応した垂直板掛止用主ボルト孔を有し、長手方向の長さがその各短辺長のうち最長の短辺長よりも長い一対の垂直板掛止部材と、
先端部側には山形鋼の水平板の長辺端部に掛止する水平板掛止用フック部を有すると共に、基端部側に水平板掛止用ボルト孔を有する一対の水平板掛止部材と、
少なくとも、一対の水平板掛止部材の水平板掛止用ボルト孔と、一対の垂直板掛止部材の垂直板掛止用主ボルト孔とにそれぞれ通され、ネジ部におけるナットの装着位置によって水平板の短辺長が異なる複数の山形鋼に対応する一対のボルトとを有することを特徴とする足場金具。
【請求項２】
請求項１記載の足場金具において、
一対の垂直板掛止部材には、垂直板の短辺長が異なる複数の山形鋼が所定角度で傾斜している場合でも、足踏み部が水平になるように、さらに、１または複数の垂直板掛止用副ボルト孔が設けられていることを特徴とする足場金具。
【請求項３】
請求項１または請求項２記載の足場金具において、
足場本体の両側の本体用主ボルト孔の間には、一対の本体用副ボルト孔が設けられていることを特徴とする足場金具。
【請求項４】
請求項１または請求項２に記載の足場金具を山形鋼に取付けるための足場金具の取付け方法であって、
山形鋼の垂直板の長辺端部に一対の垂直板掛止部材のフック部を掛止する一方、山形鋼の水平板の長辺端部に一対の水平板掛止部材のフック部を掛止して、一対のボルトのネジ部はそれぞれ少なくとも一対の水平板掛止部材の水平板掛止用ボルト孔と、一対の垂直板掛止部材の垂直板掛止用主ボルト孔とに通して、そのボルトのネジ部にナットを装着して締付けることを特徴とする足場金具の取付け方法。
【発明の詳細な説明】
【技術分野】
【０００１】
本発明は、山形鋼（アングル部材）により組み上げたビーム（梁）等の鉄骨構造物に足場を取付けるための足場金具およびその取付け方法に関する。
【背景技術】
【０００２】
山形鋼により組み上げた鉄骨構造物に足場を設けるための足場金具およびその取付け方法として、例えば、山形鋼から成る縦部材の一方の側部片に重合する第一部片と、他の一方の側部片に重合する第二部片を互いに直角方向に連設して金具本体を構成し、その第一部片と第二の部片との間に、山形鋼を挾持するボルトを締付け自在に斜めに取付けて金具本体を山形鋼に固定し、その金具本体に足場を設けるようにした従来技術が提案されている（例えば、特許文献１参照。）。
【先行技術文献】
【特許文献】
【０００３】
【特許文献１】特開平７−３３１８６３号公報
【発明の概要】
【発明が解決しようとする課題】
【０００４】
しかし、前述の特許文献１に記載の従来技術では、山形鋼の垂直板や水平板の短辺長が変わった場合には、ボルトを交換する必要があり、山形鋼の短辺長に応じてボルトを複数用意しておかなければならず、部品点数が増えるという課題があった。
【０００５】
また、一般的に、鉄道の架線などを支持するために線路を挟んだ支持柱（鉄柱やコンクリート柱）の間に水平に渡されるビーム（梁）の支持柱との接合部付近は、山形鋼を傾斜させた構造をとり、水平部材に対する傾斜角度が予め決められているので、傾斜した山形鋼にも足踏み部を水平に設置できて、かつ、その短辺長の変更にもボルトなどの構成物品を交換せずに容易に対応して設置できると便利である。
【０００６】
そこで、本発明は、第１には山形鋼の垂直板または水平板の短辺長が変わった場合でも、ボルトなどの構成物品を交換せずに取付けることができ、第２には所定角度に傾斜した山形鋼に足場金具を取付ける場合でも、山形鋼の短辺長の変更にもボルトなどの構成物品を交換せずに対応しながら足踏み部を容易に平行に設置できる足場金具およびその取付け方法を提供することを目的とする。
【課題を解決するための手段】
【０００７】
前記課題を解決するため、本発明に係る足場金具は、水平板と垂直板とからなる山形鋼により組み上げた鉄骨構造物に足場を設けるための足場金具であって、足踏み部が取付けられると共に、長手方向の両側にそれぞれ本体用主ボルト孔が設けられた足場本体と、先端部側には山形鋼の垂直板の長辺端部に掛止する垂直板掛止用フック部を有すると共に、基端部側には垂直板の短辺長が異なる複数の山形鋼の各短辺長に対応した垂直板掛止用主ボルト孔を有し、長手方向の長さがその各短辺長のうち最長の短辺長よりも長い一対の垂直板掛止部材と、先端部側には山形鋼の水平板の長辺端部に掛止する水平板掛止用フック部を有すると共に、基端部側に水平板掛止用ボルト孔を有する一対の水平板掛止部材と、少なくとも、一対の水平板掛止部材の水平板掛止用ボルト孔と、一対の垂直板掛止部材の垂直板掛止用主ボルト孔とにそれぞれ通され、ネジ部におけるナットの装着位置によって水平板の短辺長が異なる複数の山形鋼に対応する一対のボルトとを有することを特徴とする。
ここで、一対の垂直板掛止部材には、垂直板の短辺長が異なる複数の山形鋼が所定角度で傾斜している場合でも、足踏み部が水平になるように、さらに、１または複数の垂直板掛止用副ボルト孔が設けられているようにすると良い。
また、足場本体の両側の本体用主ボルト孔の間には、一対の本体用副ボルト孔が設けられているようにすると良い。
また、本発明に係る足場金具の取付け方法は、前述の足場金具を山形鋼に取付けるための足場金具の取付け方法であって、山形鋼の垂直板の長辺端部に一対の垂直板掛止部材のフック部を掛止する一方、山形鋼の水平板の長辺端部に一対の水平板掛止部材のフック部を掛止して、一対のボルトのネジ部はそれぞれ少なくとも一対の水平板掛止部材の水平板掛止用ボルト孔と、一対の垂直板掛止部材の垂直板掛止用主ボルト孔とに通して、そのボルトのネジ部にナットを装着して締付けることを特徴とする。
【発明の効果】
【０００８】
本発明の足場金具は、足場本体と、基端部側には垂直板の短辺長が異なる複数の山形鋼の各短辺長に対応した垂直板掛止用主ボルト孔を有する一対の垂直板掛止部材と、一対の水平板掛止部材と、ネジ部におけるナットの装着位置によって水平板の短辺長が異なる複数の山形鋼に対応する一対のボルトとを有し、足場金具を山形鋼に取付ける場合には、山形鋼の垂直板の長辺端部に一対の垂直板掛止部材のフック部を掛止する一方、山形鋼の水平板の長辺端部に一対の水平板掛止部材のフック部を掛止して、一対のボルトを少なくとも一対の水平板掛止部材の水平板掛止用ボルト孔と、一対の垂直板掛止部材の垂直板掛止用主ボルト孔とにそれぞれ通して取付けるようにしたため、山形鋼の垂直板または水平板の短辺長が変わった場合でも、ボルトなどの構成物品を交換せずに取付けることができる。また、一対の垂直板掛止部材には、垂直板掛止用主ボルト孔以外に、さらに、１または複数の垂直板掛止用副ボルト孔を設けたため、所定角度に傾斜した山形鋼に足場金具を取付ける場合でも、山形鋼の短辺長の変更にもボルトなどの構成物品を交換せずに対応しながら足踏み部を容易に平行に設置できる。
【図面の簡単な説明】
【０００９】
【図１】本発明に係る足場金具の斜視図である。
【図２】（ａ），（ｂ）それぞれ、本発明に係る足場金具の正面図、背面図である。
【図３】（ａ），（ｂ）それぞれ、本発明に係る足場金具の平面図、底面図である。
【図４】本発明に係る足場金具の左側面図である。
【図５】（ａ）〜（ｃ）それぞれ、本発明に係る足場金具を構成する足場本体の平面図、正面図、右側面図である。
【図６】（ａ）〜（ｃ）それぞれ、本発明に係る足場金具を構成する垂直板掛止部材の正面図、右側面図、底面図である。
【図７】（ａ）〜（ｃ）それぞれ、本発明に係る足場金具を構成する水平板掛止部材の正面図、左側面図、平面図である。
【図８】（ａ）〜（ｃ）それぞれ、本発明に係る足場金具を短辺長が異なり、所定角度で傾斜した３つの等辺山形鋼に装着した状態を示す正面図である。
【図９】ボルトを４本使用した取付け方法の一例を示す正面図である。
【発明を実施するための形態】
【００１０】
以下、本発明に係る足場金具およびその取付け方法の本実施形態を、添付図面を参照しながら詳細に説明する。
【００１１】
この足場金具１は、鉄道の架線を支持するために線路を挟んだ支持柱の間にほぼ水平方向に渡され、支持柱との接合部付近において傾斜状態となるビーム（梁）を構成する等辺山形鋼２に足場を設けるために使用するもので、図１〜図４に示すように、足場本体１１と、一対の垂直板掛止部材１２，１２と、一対の水平板掛止部材１３，１３と、一対のボルト１４，１４およびナット１５，１５を有している。ここで、本実施形態では、図４に示すように、垂直板（縦板）２１の短辺長Ｌ０１および水平板（横板）２２の短辺長Ｌ０２が等しい等辺山形鋼２を使用して説明するが、本発明では、垂直板（縦板）２１の短辺長Ｌ０１および水平板（横板）２２の短辺長Ｌ０２が異なる山形鋼を使用するようにしても良い。
【００１２】
足場本体１１は、図１〜図５に示すように、水平板１１ａ１および垂直板１１ａ２を有する足踏み支持部１１ａと、その水平板１１ａ１の上面に溶接などされて固定された足踏み部１１ｂとから構成されている。なお、足踏み部１１ｂの上面には、図示しない凸凹状の滑り止め部が設けられている。そして、足場本体１１における垂直板１１ａ２の長手方向の両側には、図５（ｂ）に示すように、それぞれ本体用主ボルト孔１１ａ２１，１１ａ２１が設けられている、ここで、この本体用主ボルト孔１１ａ２１，１１ａ２１は、垂直板１１ａ２の長手方向に長いダルマ形状の長孔としている。これにより、一対の垂直板掛止部材１２，１２間の距離を調整して取り付けたい場合に、本体用主ボルト孔１１ａ２１に挿入するボルト１４の装着位置がその長手方向に多少ズレでも、そのズレを吸収することができる。なお、ダルマ形状の長孔は通常の長孔であっても良い。
【００１３】
また、足場本体１１には、本体用主ボルト孔１１ａ２１，１１ａ２１の間に、一対の本体用副ボルト孔１１ａ２２，１１ａ２２が設けられている。これは、後述する図９に示すように、両側の本体用主ボルト孔１１ａ２１，１１ａ２１が使用できない場合や鉄骨構造物の既設のボルトに足場本体１１を直付けする際に使用するもので、省略しても良い。なお、足踏み支持部１１ａの裏面側には、図５（ｂ），（ｃ）等に示すように、水平板１１ａ１と垂直板１１ａ２との間に２枚の補強板１１ａ３，１１ａ３が溶接されて補強されている。
【００１４】
一対の垂直板掛止部材１２，１２は、図１〜図３や図６に示すように、それぞれ、断面コ字状で構成されており、先端部に等辺山形鋼２の垂直板の長辺端部に掛止する垂直板掛止用フック部１２１，１２１を有している。ここで、一対の垂直板掛止部材１２，１２の長手方向の全長Ｌ１は、図４に示すように、取付ける予定または可能性のある等辺山形鋼２の垂直板２１のうち、最長の垂直板２１の短辺長Ｌ０１よりも長くしている。そして、垂直板掛止用フック部１２１，１２１が設けられた先端部の反対側となる基端部側には、それぞれ、取付ける予定または可能性のある等辺山形鋼２の垂直板２１の短辺長Ｌ０１に対応させた垂直板掛止用主ボルト孔１２２，１２２を有している。
【００１５】
ここで、本実施形態では、ボルト１４の直径（外径）を約１６ｍｍ、取付ける予定または可能性のある等辺山形鋼２の垂直板２１の短辺長Ｌ０１を、例えば、６５ｍｍ、７５ｍｍ、９０ｍｍとする。そして、垂直板掛止用主ボルト孔１２２は、垂直板掛止部材１２の長手方向に長い長孔とする。図６（ａ）に示す例では、ボルト１４の直径（外径）の約１６ｍｍよりやや大きい円形孔が３連続したダルマ形状の長孔となり、垂直板掛止用主ボルト孔１２２の最上位のボルト孔部分が垂直板２１の短辺長Ｌ０１の６５ｍｍに対応し、中位（中間）のボルト孔部分が垂直板２１の短辺長Ｌ０１の７５ｍｍに対応し、最下位のダルマ孔部分が垂直板２１の短辺長Ｌ０１の９０ｍｍに対応することとして、それぞれ取り付け位置を明確にしている。また、３連続したダルマ形状の長孔は通常の長孔に比べ、負荷荷重を受けてボルト抜けや移動を防ぐ構造であり、より好適な実施形態である。なお、取付ける予定または可能性のある等辺山形鋼２の垂直板２１の短辺長Ｌ０１は、６５ｍｍ、７５ｍｍ、９０ｍｍに限定されることはない。また、取付ける予定または可能性のある等辺山形鋼２の垂直板２１の短辺長Ｌ０１が、例えば、６５ｍｍ、９０ｍｍの場合には、ボルト１４の直径（外径）を約１６ｍｍであるので、分離した２つの垂直板掛止用主ボルト孔となる。
【００１６】
また、一対の垂直板掛止部材１２，１２には、図６に示すように、垂直板掛止用主ボルト孔１２２，１２２以外に、さらに、垂直板２１の短辺長Ｌ０１が異なる複数の等辺山形鋼２が水平方向に対し所定角度で傾斜している場合でも、足踏み部１１ｂが水平になるように、１または複数（ここでは、便宜上２個とする。）の垂直板掛止用副ボルト孔１２３，１２４が設けられている。ここで、本実施形態では、ボルト１４として、頭部裏側に断面が正方形で突出した周り止め部を有する、いわゆる角根ボルトを使用するため、垂直板掛止用副ボルト孔１２３，１２４は、その周り止め部の形状に応じた正方形状に形成されている。なお、本発明では、垂直板掛止用副ボルト孔１２３，１２４を設けることは任意である。またその効果については後述する。
【００１７】
一対の水平板掛止部材１３，１３は、図１や図７などに示すように、一対の垂直板掛止部材１２，１２と同様に断面コ字状に構成されており、先端部に等辺山形鋼２の水平板２２の長辺端部に掛止する水平板掛止用フック部１３１，１３１を有すると共に、基端部側にその水平板掛止用フック部１３１，１３１を中継する中継板１３２を有している。ここで、本実施形態では、ボルト１４として前述の角根ボルトを使用するため、この中継板１３２にも、図７（ａ）に示すような正方形状の水平板掛止用ボルト孔１３２ａが形成されている。そして、図４に示すように、水平板掛止部材１３にボルト１４を連結した場合の長手方向の全長Ｌ２は、取付ける予定または可能性のある等辺山形鋼２の水平板２２のうち、最長の水平板２２の短辺長Ｌ０２よりも長くなる。
【００１８】
また、図４に示すように、一対の垂直板掛止部材１２，１２の垂直板掛止用フック部１２１，１２１と、一対の水平板掛止部材１３，１３の水平板掛止用フック部１３１，１３１とには、それぞれ、先端部の外側であって等辺山形鋼２に当接しない部分の角を斜めに落とした面取り部１２１ａまたは面取り部１３１ａを設けている。そのため、図４に示すように、等辺山形鋼２の内側にケーブル３などが配線されている場合でも、一対の垂直板掛止部材１２，１２の垂直板掛止用フック部１２１，１２１と、一対の水平板掛止部材１３，１３の水平板掛止用フック部１３１，１３１とを等辺山形鋼２に掛止させた際に、それらの先端部の面取り部１２１ａと面取り部１３１ａがケーブル３などの下側に潜り込む。その結果、ケーブル３などを押し潰すことなく足場金具１を確実に等辺山形鋼２に取り付けることができ、足場金具１を設置する作業が容易になる。なお、本発明では、面取り部１２１ａ，１３１ａを設けることは任意である。
【００１９】
なお、ボルト１４は、図３（ａ），（ｂ）に示すように、頭部１４ａとネジ部１４ｂとからなり、前述のように頭部１４ａの裏側に断面が正方形で突出した周り止め部を有する角根ボルトを使用する。
【００２０】
＜水平な等辺山形鋼への取付け＞
次に、以上のように構成された足場金具１を、水平な等辺山形鋼２に取付ける方法について説明する。
【００２１】
この場合、図４に示すように等辺山形鋼２の垂直板２１の長辺端部に一対の垂直板掛止部材１２，１２の垂直板掛止用フック部１２１，１２１を掛止する一方、等辺山形鋼２の水平板２２の長辺端部に一対の水平板掛止部材１３，１３の水平板掛止用フック部１３１，１３１を掛止する。なお、その掛止の前に、予め、図１や図４等に示すように一対の水平板掛止部材１３，１３の中継板１３２，１３２（図７参照。）の水平板掛止用ボルト孔１３２ａ，１３２ａにそれぞれ一対のボルト１４，１４を通しておき、そのボルト１４，１４の頭部１４ａ，１４ａをそれぞれ中継板１３２，１３２の水平板掛止用ボルト孔１３２ａ，１３２ａ側に位置させておいても良いし、等辺山形鋼２への掛止の際に中継板１３２，１３２（図７参照。）の水平板掛止用ボルト孔１３２ａ，１３２ａにボルト１４，１４を通すようにしても良い。
【００２２】
そして、一対のボルト１４，１４のネジ部１４ｂ，１４ｂを、それぞれさらに、図１および図４に示すように、一対の垂直板掛止部材１２，１２の垂直板掛止用主ボルト孔１２２，１２２（図６（ａ）参照。）と、足場本体１１の長手方向両側の本体用主ボルト孔１１ａ２１，１１ａ２１（図５（ｂ）参照。）とに通して、そのボルト１４，１４のネジ部１４ｂ，１４ｂにそれぞれナット１５，１５を装着し締付けて足場金具１を鉄骨構造物の水平な等辺山形鋼２に取付ける。
【００２３】
従って、この足場金具１およびその取付け方法によれば、例えば、６５ｍｍ、７５ｍｍ、９０ｍｍというように短辺長Ｌ０１，Ｌ０２が異なる等辺山形鋼２に取付ける場合でも、等辺山形鋼２の垂直板２１の短辺長Ｌ０１の変更は、垂直板掛止部材１２の垂直板掛止用主ボルト孔１２２によって対応する一方、等辺山形鋼２の水平板２２の短辺長Ｌ０２の変更は、ボルト１４に装着（螺合）するナット１５の装着（螺合）位置を変えることによって対応するため、等辺山形鋼２の垂直板２１の短辺長Ｌ０１や水平板２２の短辺長Ｌ０２が変更された場合でも、ボルト１４などの足場金具１の構成物品を交換せずに取付けることができる。
【００２４】
特に、この足場金具１では、図５等に示すように、ボルト１４の頭部１４ａは水平板掛止部材１３の中継板１３２側であり、ボルト１４のネジ部１４ｂに装着（螺合）するナット１５は足場本体１１側としている。これは防鳥ネットを張りめぐらしたビーム（梁）等が存在することから、ナット１５の装着および締付け作業をネットのない側で容易に行えるようにしたものである。
【００２５】
＜傾斜した等辺山形鋼への取付け＞
次に、以上のように構成された足場金具１を、傾斜した等辺山形鋼２に取付ける方法について説明する。
【００２６】
例えば、鉄道の架線を支持するために線路を挟んだ支持柱の間に渡されたビーム（梁）の支持柱との接合部付近には傾斜した等辺山形鋼２が設けられており、ビームの長手方向、すなわち水平方向に対し所定の角度をなす。ここでは所定の角度を約１８度としたビームを例に説明する。足場金具１の一対の垂直板掛止部材１２，１２には、図６（ａ）等に示すようにそれぞれの垂直板掛止用主ボルト孔１２２，１２２以外に、２つの垂直板掛止用副ボルト孔１２３，１２４が設けられている。
【００２７】
まず、図８（ａ）に示すように図上右肩上がりに傾斜した短辺長Ｌ０１，Ｌ０２を６５ｍｍの等辺山形鋼２に足場金具１を取付ける場合は、まず、一対の垂直板掛止部材１２，１２では、それぞれ、３連ダルマ形状の垂直板掛止用主ボルト孔１２２，１２２における最上位のボルト孔部分にボルト１４，１４を通す。そして、この足場金具１を所定角度の約１８度に傾斜した等辺山形鋼２に取付けた場合でも、足場本体１１の足踏み部１１ｂが水平を保つように、高さが低い左側の垂直板掛止部材１２では、上側の垂直板掛止用副ボルト孔１２４（図６（ａ）参照。）に３本目のボルト１４を挿入してナット１５により締付ける。
【００２８】
また、図８（ｂ）に示すように図上右肩上がりに傾斜した短辺長Ｌ０１，Ｌ０２を７５ｍｍの等辺山形鋼２に取付ける場合は、まず、図８（ｂ）に示すように、一対の垂直板掛止部材１２，１２では、それぞれ、３連ダルマ形状の垂直板掛止用主ボルト孔１２２，１２２における中位（中間）のボルト孔部分にボルト１４，１４を通す。そして、この足場金具１を所定角度の約１８度に傾斜した等辺山形鋼２に取付けた場合でも、足踏み部１１ｂが水平を保つように、高さが低い左側の垂直板掛止部材１２では、上側の垂直板掛止用副ボルト孔１２４（図６（ａ）参照。）に３本目のボルト１４を挿入してナット１５により締付ける。
【００２９】
また、図８（ｃ）に示すように図上右肩上がりに傾斜した短辺長Ｌ０１，Ｌ０２が９０ｍｍの等辺山形鋼２に取付ける場合は、まず、図８（ｃ）に示すように、一対の垂直板掛止部材１２，１２では、それぞれ、３連ダルマ形状の垂直板掛止用主ボルト孔１２２，１２２における最下位のダルマ孔部分にボルト１４，１４を通す。そして、この足場金具１を所定角度の約１８度に傾斜した等辺山形鋼２に取付けた場合でも、足踏み部１１ｂが水平を保つように、高さが低い左側の垂直板掛止部材１２では、下側の垂直板掛止用副ボルト孔１２３（図６（ａ）参照。）に３本目のボルト１４を挿入してナット１５により締付ける。
【００３０】
従って、この足場金具１およびその取付け方法によれば、垂直板掛止部材１２には、垂直板掛止用主ボルト孔１２２，１２２以外に、さらに、水平方向に対し所定角度で傾斜した等辺山形鋼２に対し足場金具１を取付ける場合でも、足踏み部１１ｂが水平になるように、等辺山形鋼２の垂直板２１の短辺長Ｌ０１に応じた垂直板掛止用副ボルト孔１２３，１２４を複数設けたため、所定角度で傾斜した等辺山形鋼２にこの足場金具１を取付ける場合でも、ボルト１４などの足場金具１の構成物品を交換せずに足踏み部１１ｂを簡単に平行に設置することができる。
【００３１】
＜ボルトを４本使用しての等辺山形鋼への取付け＞
なお、上記の説明では、この足場金具１を水平な等辺山形鋼２に取付ける場合には、図１等に示すように２本のボルト１４を本体用主ボルト孔１１ａ２１，１１ａ２１に挿入して取付ける一方、傾斜状態の等辺山形鋼２に取付ける場合には、図８に示すように３本のボルト１４を本体用主ボルト孔１１ａ２１，１１ａ２１および垂直板掛止用副ボルト孔１２３，１２４のいずれかに挿入して取付けるように説明したが、例えば、図９に示すように４本のボルト１４を使用して、足場金具１を等辺山形鋼２に取付けることもできる。
【００３２】
つまり、図９では、まず、２本のボルト１４をそれぞれ一対の水平板掛止部材１３，１３の水平板掛止用ボルト孔１３２ａ，１３２ａと、一対の垂直板掛止部材１２，１２の垂直板掛止用主ボルト孔１２２，１２２とに通してナット１５，１５により固定することにより、等辺山形鋼２の垂直板２１の短辺長Ｌ０１や水平板２２の短辺長Ｌ０２が変更された場合でも、ボルト１４などの足場金具１の構成物品を交換せずに対応できるように取付ける。
【００３３】
次に、さらに２本のボルト１４を、図９に示すように一対の垂直板掛止部材１２，１２それぞれの垂直板掛止用副ボルト孔１２３，１２４のいずれかと、足場本体１１の本体用副ボルト孔１１ａ２２，１１ａ２２とに通してナット１５，１５により固定する。これにより、図９に示すように、等辺山形鋼２に対し足場本体１１の取付け高さを調整（変更）できると共に、所定角度で傾斜した等辺山形鋼２の場合にも対応して足踏み部１１ｂを簡単に平行に設置できる。なお、図９では、足場本体１１では、本体用副ボルト孔１１ａ２２，１１ａ２２を使用しているが、その代わりに本体用主ボルト孔１１ａ２１，１１ａ２１を使用しても良い。また、図９では、所定角度で傾斜した等辺山形鋼２に足場金具１を取付けているが、水平な等辺山形鋼２にこの足場金具１を取付ける際に、４本のボルト１４を使用して、等辺山形鋼２に対し足場本体１１の取付け高さを調整（変更）するようにしても勿論良い。
【符号の説明】
【００３４】
１  足場金具
１１  足場本体
１１ａ  足踏み支持部
１１ａ１  水平板
１１ａ２  垂直板
１１ａ２１  本体用主ボルト孔
１１ａ２２  本体用副ボルト孔
１１ａ３  補強板
１１ｂ  足踏み部
１２  垂直板掛止部材
１２１  垂直板掛止用フック部
１２１ａ  面取り部
１２２  垂直板掛止用主ボルト孔
１２３，１２４  垂直板掛止用副ボルト孔
１３  水平板掛止部材
１３１  水平板掛止用フック部
１３１ａ  面取り部
１３２  中継板
１３２ａ  水平板掛止用ボルト孔
１４  ボルト
１５  ナット
２  等辺山形鋼
２１  垂直板
２２  水平板
【図１】
0005851315.tif 000002
【図２】
0005851315.tif 000003
【図３】
0005851315.tif 000004
【図４】
0005851315.tif 000005
【図５】
0005851315.tif 000006
【図６】
0005851315.tif 000007
【図７】
0005851315.tif 000008
【図８】
0005851315.tif 000009
【図９】
0005851315.tif 000010